(57)【要約】      （修正有）【課題】優れたパーフォーマンス、望ましい耐久性、および製造効率を高め製造原価を下げる好ましい幾何構造の打撃フェースウォールを提供する。【解決手段】トップ内部境界を含むフェース部分１０７つまり打撃フェースウォール１０６と、中間内部境界と、ボトム内部境界トウ部分１０３およびボトム内部境界ヒール部分１０５を有するボトム内部境界とを含んでもよい。打撃フェースは、トップ内部境界に隣接する第１均一厚領域と、当該均一厚領域およびボトム内部境界の大部分に隣接する可変厚領域とを更に含んでもよい。別の実施例では、可変厚はトップ内部境界に隣接し、均一厚領域はボトム内部境界の大部分に隣接してもよい。【選択図】図１
2011098200.tif 000002
【特許請求の範囲】
【請求項１】
打撃フェースウォールを含むゴルフクラブヘッドであって、
前記打撃フェースウォールは、
トップ内部境界と、
トウ部分およびヒール部分を含むボトム内部境界と、
前記トップ内部境界に隣接する連続する均一厚領域であり、ボトム内部境界のトウ部分およびボトム内部境界のヒール部分に隣接する連続する均一厚領域と、
均一厚領域およびボトム内部境界の大部分に隣接する可変厚領域と、
を含むゴルフクラブヘッド。
【請求項２】
前記可変厚領域は連続である、請求項１に記載のゴルフクラブヘッド。
【請求項３】
前記可変厚領域は前記均一厚領域の厚さよりも大きい厚さを含む、請求項１に記載のゴルフクラブヘッド。
【請求項４】
前記可変厚領域は前記均一厚領域の厚さよりも小さい厚さを含む、請求項１に記載のゴルフクラブヘッド。
【請求項５】
前記均一厚領域の厚さは約３ｍｍ未満である、請求項１に記載のゴルフクラブヘッド。
【請求項６】
打撃フェースウォールを含むゴルフクラブヘッドであって、
前記打撃フェースウォールは、
トップ内部境界と、
トウ部分およびヒール部分を含むボトム内部境界と、
ボトム内部境界に隣接する均一厚領域と、
トップ内部境界突出部の大部分に隣接する可変厚領域と、
を含むゴルフクラブヘッド。
【請求項７】
前記均一厚領域は前記ボトム内部境界のトウ部分に隣接する、請求項６に記載のゴルフクラブヘッド。
【請求項８】
前記均一厚領域は前記ボトム内部境界のヒール部分に隣接する、請求項６に記載のゴルフクラブヘッド。
【請求項９】
前記均一厚領域は前記ボトム内部境界のトウ部分および前記ボトム内部境界のヒール部分に隣接する、請求項６に記載のゴルフクラブヘッド。
【請求項１０】
前記均一厚領域は前記トップ内部境界に隣接する、請求項９に記載のゴルフクラブヘッド。
【請求項１１】
前記可変厚領域は前記ボトム内部境界のトウ部分に隣接する、請求項６に記載のゴルフクラブヘッド。
【請求項１２】
前記可変厚領域は前記ボトム内部境界のヒール部分に隣接する、請求項６に記載のゴルフクラブヘッド。
【請求項１３】
前記可変厚領域は前記トップ内部境界の全体に隣接する、請求項１２に記載のゴルフクラブヘッド。
【請求項１４】
前記可変厚領域は前記ボトム内部境界のトウ部分および前記ボトム内部境界のヒール部分に隣接する、請求項６に記載のゴルフクラブヘッド。
【請求項１５】
前記可変厚領域は前記均一厚領域に隣接する、請求項６に記載のゴルフクラブヘッド。
【請求項１６】
前記可変厚領域は連続である、請求項６に記載のゴルフクラブヘッド。
【請求項１７】
打撃フェースウォールを含むゴルフクラブヘッドであって、
前記打撃フェースウォールは、
トップ内部境界と、
トウ部分およびヒール部分を含むボトム内部境界と、
トップ内部境界に隣接する均一厚領域と、
前記均一厚領域および前記ボトム内部境界の大部分に隣接する連続した可変厚領域と、
を含むゴルフクラブヘッド。
【請求項１８】
前記均一厚領域は前記ボトム内部境界のヒール部分に隣接する、請求項１７に記載のゴルフクラブヘッド。
【請求項１９】
前記均一厚領域は前記ボトム内部境界のトウ部分に隣接する、請求項１７に記載のゴルフクラブヘッド。
【請求項２０】
前記均一厚領域は前記ボトム内部境界のトウ部分および前記ボトム内部境界のヒール部分に隣接する、請求項１７に記載のゴルフクラブヘッド。
【請求項２１】
前記均一厚領域は前記トップ内部境界の全体に隣接する、請求項２０に記載のゴルフクラブヘッド。
【請求項２２】
前記均一厚領域の厚さは約３ｍｍ未満である、請求項１７に記載のゴルフクラブヘッド。
【請求項２３】
前記可変厚領域は前記均一厚領域の厚さよりも大きい厚さを含む、請求項１７に記載のゴルフクラブヘッド。
【請求項２４】
前記可変厚領域は前記均一厚領域の厚さよりも小さい厚さを含む、請求項１７に記載のゴルフクラブヘッド。
【請求項２５】
打撃フェースウォールを含むゴルフクラブヘッドであって、
前記打撃フェースウォールは、
トップ内部境界と、
トウ部分およびヒール部分を含むボトム内部境界と、
トップ内部境界に隣接する第1均一厚領域と、
ボトム内部境界に隣接する第２均一厚領域と、
前記ボトム内部境界のトウ部分および前記ボトム内部境界のヒール部分に隣接する連続した可変厚領域であり、前記第１均一厚領域および前記第２均一厚領域に更に隣接する連続した可変厚領域と、
を含むゴルフクラブヘッド。
【請求項２６】
前記第１均一厚領域は前記ボトム内部境界のトウ部分に隣接する、請求項２５に記載のゴルフクラブヘッド。
【請求項２７】
前記第１均一厚領域は前記ボトム内部境界のヒール部分に隣接する、請求項２５に記載のゴルフクラブヘッド。
【請求項２８】
前記第１均一厚領域は前記ボトム内部境界のトウ部分および前記ボトム内部境界のヒール部分に隣接する、請求項２５に記載のゴルフクラブヘッド。
【請求項２９】
前記第２均一厚領域は前記ボトム内部境界のトウ部分に隣接する、請求項２５に記載のゴルフクラブヘッド。
【請求項３０】
前記第２均一厚領域は前記ボトム内部境界のヒール部分に隣接する、請求項２５に記載のゴルフクラブヘッド。
【請求項３１】
前記第１均一厚領域の厚さは前記第２均一厚領域の厚さと実質的に等しい、請求項２５に記載のゴルフクラブヘッド。
【請求項３２】
前記第１均一厚領域の厚さは前記第２均一厚領域の厚さとは異なる、請求項２５に記載のゴルフクラブヘッド。
【請求項３３】
前記可変厚領域は前記第１均一厚領域および前記第２均一厚領域のうち少なくとも１つの厚さよりも大きい厚さを含む、請求項２５に記載のゴルフクラブヘッド。
【発明の詳細な説明】
【技術分野】
【０００１】
本発明はゴルフクラブヘッドに関する。
【背景技術】
【０００２】
ゴルフクラブヘッドの非均一なフェースの厚さを減らすことにより、クラブヘッドの標的質量と、必要な構造統合性を有するヘッドを形成するのに要求される最小質量との間の差である、利用可能な任意質量が増大することは、一般的に当業者には周知である。次に、追加された任意質量をクラブヘッド全体に分配することにより、重心を下げてボールの打ち上げ条件を最適にし、慣性モーメントを増やして、ボールへの衝撃が中心を外れた場合でもクラブヘッドの安定性を改善するようにしてもよい。更に、クラブフェースの厚さを変えることにより、クラブヘッドの平均フェース・コンプライアンスの減少を制限することができる。
【発明の概要】
【発明が解決しようとする課題】
【０００３】
上述の利点を達成するにあたり、製造業者は明白な厚さ変動を有するフェースを持ったクラブヘッドを一般的に製造する。しかし、クラブフェースは一般的に高性能チタン合金などのエキゾチックな素材を含んでおり、フェースの輪郭形成には複雑な機械操作が要求されるので、フェース厚の局所的な大幅削減には、素材費および加工費の増大が一般的に伴う。
【課題を解決するための手段】
【０００４】
本発明は、１つ以上の態様において、優れたパーフォーマンス、望ましい耐久性、および製造効率を高め製造原価を下げる好ましい幾何構造を提供する打撃フェースウォールを持った、ゴルフクラブヘッドを含んでもよい。
【０００５】
１つの実施例では、本発明の１つ以上の態様によるゴルフクラブヘッドは、トップ内部境界と、トウ部分およびヒール部分を含むボトム内部境界とを有するフェース部分を含んでいてもよい。フェース部分は、連続した均一厚領域と可変厚領域を更に含んでもよい。連続した均一厚領域は、トップ内部境界、ボトム内部境界トウ部分、およびボトム内部境界ヒール部分に隣接していてもよい。可変厚領域は、均一厚領域およびボトム内部境界の大部分に隣接していてもよい。
【０００６】
別の実施例では、本発明の１つ以上の態様によれば、ゴルフクラブヘッド用の打撃フェースウォールは、トップ内部境界と、トウ部分およびヒール部分を含むボトム内部境界とを有するフェース部分を含んでいてもよい。打撃フェースウォールは、ボトム内部境界に隣接する均一厚領域およびトップ内部境界の大部分に隣接する可変厚領域を更に含んでいてもよい。
【０００７】
別の実施例では、本発明の１つ以上の態様によれば、ゴルフクラブヘッド用の打撃フェースウォールは、トップ内部境界と、トウ部分およびヒール部分を含むボトム内部境界とを有するフェース部分を含んでいてもよい。打撃フェースウォールは、トップ内部境界に隣接する均一厚領域と、当該均一厚領域およびボトム内部境界の大部分に隣接する連続した可変厚領域とを更に含んでいてもよい。
【０００８】
別の実施例では、本発明の１つ以上の態様によれば、ゴルフクラブヘッド用の打撃フェースウォールは、トップ内部境界と、トウ部分およびヒール部分を含むボトム内部境界とを有するフェース部分を含んでいてもよい。打撃フェースウォールは、トップ内部境界と、トウ部分およびヒール部分を含むボトム内部境界とを有するフェース部分を含んでいてもよい。打撃フェースウォールは、トップ内部境界に隣接する第１均一厚領域と、ボトム内部境界に隣接する第２均一厚領域と、トウ部分、ヒール部分、第１均一厚領域および第２均一厚領域に隣接する連続した可変厚領域とを更に含んでいてもよい。
【０００９】
以下に詳細に記載される１つ以上の実施例が種々の態様によって示す本発明の適合方法の上記特徴および利点並びに他の特徴および利点は、以下の発明を実施するための最良の形態、添付の図面および特許請求項の範囲を考慮すれば明白である。添付の図面は例示を目的とするのみであり、本発明の範囲を何ら限定するものではない。
【図面の簡単な説明】
【００１０】
【図１】本発明の1つ以上の態様による例示的なゴルフクラブヘッドの上面図である。
【図１Ａ１】図１のゴルフクラブヘッドの底面図である。
【図１Ａ２】図１のゴルフクラブヘッドの前部立面図である。
【図１Ｂ】テンプレートをあてがった、図１のゴルフクラブヘッドの前部立面図である。
【図１Ｃ】図１のゴルフクラブヘッドの前部立面図である。
【図１Ｄ】図１のゴルフクラブヘッドの前部立面図である。
【図１Ｅ】図１のゴルフクラブヘッドの前部立面図である。
【図１Ｆ】１Ｆ−１Ｆの方向に切断した、図１Ｅのゴルフクラブヘッドの断面図である。
【図１Ｇ】図１のゴルフクラブヘッドの斜視図である。
【図１Ｈ】１Ｆ−１Ｆ線の方向に切断した、図１Ｅのゴルフクラブヘッドの断面図である。
【図１Ｉ】図１のゴルフクラブヘッドの斜視図である。
【図１Ｊ】図１のゴルフクラブヘッドの前部立面図である。
【図１Ｋ】図１のゴルフクラブヘッドの分解立体図である。
【図２】本発明の１つ以上の態様による例示的なゴルフクラブヘッドの分解立体図である。
【図３】本発明の１つ以上の態様による例示的なゴルフクラブヘッドの分解立体図である。
【図４】本発明の１つ以上の態様による例示的なゴルフクラブヘッドの前部立面図である。
【図４Ａ】図４のゴルフクラブヘッドの打撃フェースウォールの一部の概略的な後部立面図である。
【図４Ｂ】４Ｂ−４Ｂ線の方向に切断した図４Ａの打撃フェースウォールの一部の断面図である。
【図４Ｃ】４Ｃ−４Ｃ線の方向に切断した図４Ａの打撃フェースウォールの一部の断面図である。
【図５】本発明の１つ以上の態様による例示的な打撃フェースウォールの一部の断面図である。
【図６】本発明の１つ以上の態様による例示的な打撃フェースウォールの一部の概略的な後部立面図である。
【図７】本発明の１つ以上の態様による例示的な打撃フェースウォールの一部の概略的な後部立面図である。
【図８】本発明の１つ以上の態様による例示的な打撃フェースウォールの一部の概略的な後部立面図である。
【図９】本発明の１つ以上の態様による例示的な打撃フェースウォールの一部の概略的な後部立面図である。
【図１０】本発明の１つ以上の態様による例示的な打撃フェースウォールの一部の概略的な後部立面図である。
【図１１】本発明の１つ以上の態様による例示的な打撃フェースウォールの一部の概略的な後部立面図である。
【図１２】本発明の１つ以上の態様による例示的な打撃フェースウォールの一部の概略的な後部立面図である。
【図１３】本発明の１つ以上の態様による例示的な打撃フェースウォールの一部の概略的な後部立面図である。
【図１４】本発明の１つ以上の態様による例示的な打撃フェースウォールの一部の概略的な後部立面図である。
【図１５】本発明の１つ以上の態様による例示的な打撃フェースウォールの一部の概略的な後部立面図である。
【図１６Ａ】本発明の１つ以上の態様による例示的な打撃フェースウォールの一部の概略的な後部立面図である。
【図１６Ｂ】１６Ｂ−１６Ｂ線の方向に切断した図１６Ａの打撃フェースウォールの一部の断面図である。
【図１７】本発明の１つ以上の態様による例示的な打撃フェースウォールの一部の概略的な後部立面図である。
【図１８】本発明の１つ以上の態様による例示的な打撃フェースウォールの一部の概略的な後部立面図である。
【図１９Ａ】本発明の１つ以上の態様による例示的な打撃フェースウォールの一部の概略的な後部立面図である。
【図１９Ｂ】１９Ｂ−１９Ｂ線の方向に切断した図１９Ａの打撃フェースウォールの一部の断面図である。
【図２０】本発明の１つ以上の態様による例示的な打撃フェースウォールの一部の概略的な後部立面図である。
【図２１】本発明の１つ以上の態様による例示的な打撃フェースウォールの一部の概略的な後部立面図である。
【図２２】本発明の１つ以上の態様による例示的な打撃フェースウォールの一部の概略的な後部立面図である。
【図２３】本発明の１つ以上の態様による例示的な打撃フェースウォールの一部の概略的な後部立面図である。
【図２４Ａ】本発明の１つ以上の態様による例示的な打撃フェースウォールの一部の概略的な後部立面図である。
【図２４Ｂ】２４Ｂ−２４Ｂ線の方向に切断した図２４Ａの打撃フェースウォールの一部の断面図である。
【図２５】本発明の１つ以上の態様による例示的な打撃フェースウォールの一部の概略的な後部立面図である。
【発明を実施するための最良の形態】
【００１１】
添付図面を参照しながら、本発明の例示的実施形態を以下に説明する。
明瞭化のため、図１−図１Ｋに関連して特徴付けられる本発明の1つ以上の態様を参照しながら、本明細書で使用される定義を説明する。しかし、かかる定義は、残りの図面に関連して本明細書全体に記載される本発明の同様または類似の態様にも適用されることは、当業者には理解できるであろう。
【００１２】
図１および図１Ａ２に例示されるように、クラブヘッド１００は、ホーゼル１０１、トウ１０３、ヒール１０５、前部表面１０７を有する前部部分１０６、ボトム部分１１０およびトップ部分１１２を含んでいてもよい。
【００１３】
図１および図１Ａ２を参照すると、ホーゼル１０１は中心軸つまり中心線１０２を有している。本明細書で使用する場合、「基準位置」は、ホーゼルの中心線１０２が水平接地面に対して６０°のライ角に置かれ、前部表面１０７に一般的に平行な仮想水平線１０４ａを含む仮想垂直ホーゼル平面１０４上に置かれている、クラブヘッドの位置を意味する。別の記載がない限り、本明細書のパラメーターは全て当該基準位置に置かれたクラブヘッドによって特定されている。
【００１４】
本明細書で使用する場合、「前部部分」（例えば、前部部分１０６）は、打撃フェースウォールとも呼ばれ、ゴルフボールを打つのに適した一般的に平面の前部表面１０７および後部表面１０９（図１Ｋ）によって少なくとも部分的に限界が設定されている、ゴルフクラブの一部を意味している。前部表面１０７が一般的に平面であると言及されていたとしても、本発明の1つ以上の態様では、ウッドタイプのクラブに一般的に見られるように、隆起またはロール状の仕様を有していてもよいことは、当業者には理解できるであろう。あるいは、前部表面１０７はアイアンタイプのクラブのように、基本的にフラットであってもよい。
【００１５】
図１Ａ２および図１Ｂを参照すると、本明細書で使用する場合、「フェース中心」（例えば、フェース中心１１５）は、トップ・ボトム軸１１６ｂと直交するヒール・トウ軸１１６ａの座標系を有するテンプレートを用いて位置決めされる。開口部１１８は座標軸および軸１１６ａの原点に置かれており、１１６ｂは等間隔の増分で目盛られている。テンプレート１１４は、透明なポリマーなどの弾力性のある素材で作られていてもよい。
【００１６】
フェース中心１１５の位置は次のように決定される。まず、開口部１１８が前部表面１０７の大体中央部に位置し、ヒール／トウ軸１１６ａが一般的にホーゼル平面１０４に平行になるように、テンプレート１１４を前部表面１０７に配置する。次に、前部表面１０７の両側端の軸１１６ａに沿ったヒールとトウの寸法が同じ絶対値になるまで、テンプレートを前部表面１０７に沿ってヒール／トウ方向に移動させる。テンプレート１１４がヒール／トウ方向に前部表面１０７の中心に配置されたら、前部表面１０７の両側端の軸１１６ｂに沿ったトップとボトムの寸法が同じ絶対値になるまで、テンプレートを前部表面１０７に沿ってトップ・ボトム方向に移動させる。軸１１６ａに沿ったヒール寸法の絶対値がトウ寸法の絶対値と等しくなり、軸１１６ｂに沿ったボトム寸法の絶対値がトップ寸法の絶対値と等しくなるまで、上述の順序を繰り返す。次に、開口部１１８を通して前部表面に点を印し、それをフェース中心１１５とする。
【００１７】
位置決めテンプレート（例えばテンプレート１１４）は、アメリカゴルフ協会のゴルフクラブヘッド柔軟度測定要領（改訂版２．０、２００５年３月２５日）を参照したものであり、ＵＳＧＡより入手可能である。
【００１８】
図１Ｃを参照すると、本明細書で使用する場合、「外部トウ点」（例えば、外部トウ点１１７）は、トウ１０３に近く、前部表面１０７の最も側方に突出した点を意味する。
【００１９】
図１Ｃに示すように、外部トウ点１１７を通過する仮想水平面１２４は、点１２０でホーゼル中心線１０２と交わる。本明細書で使用する場合、「ホーゼル」（例えば、ホーゼル１０１）は、ホーゼル中心線１０２およびそれに含まれる点１２０に垂直な仮想平面１２２によってヘッドの他の部分から区別されているクラブヘッドの一部を意味する。
【００２０】
図１Ｆおよび図１Ｄを参照すると、本明細書で使用する場合、「中間外部境界」（例えば、中間外部境界１２６）は、クラブヘッドの外部表面と平面１２２との間の交点を意味する。
【００２１】
図１を参照すると、本明細書で使用する場合、「トップ部分」（例えば、トップ部分１１２）は、クラブヘッドを基準位置に置いた状態の上面図で見ることができる、前部部分１０６およびホーゼル１０１を除くクラブヘッドの部分を意味する。
【００２２】
図１Ａ１を参照すると、本明細書で使用する場合、「ボトム部分」（例えば、ボトム部分１１０）は、クラブヘッドを基準位置に置いた状態の底面図で見ることができる、ホーゼル１０１を除くクラブヘッドの部分を意味する。
【００２３】
図１Ｅおよび図１Ｆを参照すると、本明細書で使用する場合、「前部トップ接合部分」（例えば、前部トップ接合部分１３０）は、前部部分１０６とトップ部分１１２との間の境界領域を意味する。
【００２４】
図１Ｅおよび図１Ｆを参照すると、本明細書で使用する場合、「前部ボトム接合部分」（例えば、フェース（ママ）ボトム接合部分１２８）は、前部部分１０６とボトム部分１１０との間の境界領域を意味する。
【００２５】
図１Ｅ−図１Ｇを参照すると、本明細書で使用する場合、「ボトム外部境界」（例えば、ボトム外部境界１３６）は、外部トウ点１１７に始まり中間外部境界１２６に終わる少なくとも部分的に曲線の経路を意味し、前部ボトム接合部分１２８に沿って複数の位置を含んでおり、かかる複数の位置は、クラブヘッド１００を基準位置に置いた状態で、対応する仮想垂直線１３４と前部ボトム接合部分１２８との間の切点１３２によって特徴付けられる。
【００２６】
図１Ｈ−図１Ｊを参照すると、本明細書で使用する場合、「トップ外部境界」（例えば、トップ外部境界１４４）は、外部トウ点１１７に始まり中間外部境界１２６に終わる少なくとも部分的に曲線の経路を意味し、前部トップ接合部分１３０に沿って複数の位置を含んでおり、かかる複数の位置は、クラブヘッド１００を基準位置に置いた状態で、各々水平線に対して６０°の角度で方向付けられている対応する仮想線１４０と、前部トップ接合部分１３０との間の切点１４２によって特徴付けられる。各仮想線１４０は、ホーゼル平面１０４（図１Ａ２）に垂直な仮想垂直平面１３８上にある。
【００２７】
図１Ｊを参照すると、本明細書で使用する場合、「中間外部境界フェース部分」（例えば、中間外部境界フェース部分１５４）は、中間外部境界１２６とトップ外部境界１４４の間の交点として定義される第１外部ヒール点１５６と、中間外部境界１２６とボトム外部境界１３６との間の交点として定義される第２外部ヒール点１５２との間の中間内部（ママ）境界１２６の一部を意味する。
【００２８】
本明細書で使用する場合、「内部境界」（例えば、内部境界１７４）は、トップ内部境界１６８、ボトム内部境界１６２および中間内部境界１５８を含む。トップ内部境界１６８の各点は、前部表面１０７に沿って、フェース中心１１５の方向に、トップ外部境界１４４の対応する点に対して一定のオフセットｓ１により配置されており、一定のオフセットは好ましくは約０．５ｍｍと約１５ｍｍの間、より好ましくは約１ｍｍと約８ｍｍの間である。ボトム内部境界１６２の各点は、前部表面１０７に沿って、フェース中心１１５の方向に、ボトム外部境界１３６の対応する点に対して一定のオフセットｓ１により配置されている。中間内部境界１５８の各点は、前部表面１０７に沿って、フェース中心１１５の方向に、中間外部境界のフェース部分１５４の対応する点に対して一定のオフセットｓ１により配置されている。参照し易いように、打撃フェース１０６を大体垂直に方向付けた状態で、トップ内部境界１６８、中間内部境界１５８、ボトム内部境界１６２およびフェース中心から後部表面１０９（図１Ｋ）への水平方向の突出が同じ名称および符号で言及されることは、当業者には理解できるであろう。
【００２９】
再び図１Ｊを参照すると、本明細書で使用する場合、「ボトム内部境界トウ部分」（例えば、ボトム内部境界トウ部分１６４）は、ホーゼル平面１０４（図１Ａ２）に垂直でフェース中心１１５を含む仮想垂直平面１６０、およびトップ内部境界１６８によって範囲を限定されている、ボトム内部境界１６２の一部を意味する。
【００３０】
再び図１Ｊを参照すると、本明細書で使用する場合、「ボトム内部境界ヒール部分」（例えば、ボトム内部境界ヒール部分１５０）は、仮想垂直平面１６０および中間内部境界１５８によって範囲を限定されている、ボトム内部境界１６２の一部を意味する。
【００３１】
図１Ｋを参照すると、前部部分１０６は、機械的インターロック、溶接、ロウ付け、接着剤による結合などの方法によって、クラブヘッド本体１１３に連結してもよい。ヘッド本体１１３および／または前部部分１０６は、ステンレス鋼、チタン、繊維強化プラスチックなどの金属および／または非金属素材を含んでもよい。前部部分１０６は、ヘッド本体１１３とは異なる素材で形成する方が好ましい。他の実施例では、前部部分１０６とヘッド本体１１３は同じ素材を含んでいてもよい。図２に示すように、クラブヘッド２００は、前部部分２０６とそこから延びる環状部分２１１を包含するカップフェース部分を含んでいてもよい。環状部分２１１は、前部部分２０６と一体不可分であってもよく、上述の結合方法のいずれかによってクラブヘッド本体２１３に連結されていてもよい。図３に描かれる本発明の別の態様では、クラブヘッド３００は、フェース挿入片３４８および周辺部分３４９を包含し、クラブヘッド本体３１３と統一不可分に形成されている前部部分３０６を含んでいてもよい。フェース挿入片３４８および周辺部分３４９は、同じ素材または異なる素材を含んでいてもよい。フェース挿入片３４８は、上述の結合方法のいずれかによって周辺部分３４９に連結させてもよい。
【００３２】
図４および図４Ａを参照すると、本発明の1つ以上の態様によるゴルフクラブヘッド４００は、前部表面４０７および後部表面４０９を有する前部部分つまり打撃フェースウォール４０６を含み、当該打撃フェースウォールはトップ内部境界４６８、中間内部境界４５８およびボトム内部境界４６２を含み、それらが一緒になって内部境界４７４が設定される。図４Ａに示すように、ボトム内部境界４６２は、仮想垂直線４６０の反対側にそれぞれ位置するボトム内部境界ヒール部分４５０およびボトム内部境界トウ部分４６４を含んでいてもよい。打撃フェースウォール（前部部分）４０６の厚さは、打撃フェースウォール（前部部分）４０６が大体垂直に方向付けられている状態で、前部表面４０７のあらゆる点において、その点と後部表面４０９との間の水平距離として特徴付けられる。従って、打撃フェースウォール（前部部分）４０６は、トップ内部境界４６８の少なくとも一部と、ボトム内部境界トウ部分４６４の一部と、およびボトム内部境界ヒール部分４５０の一部とに隣接する、均一厚領域４７８を含んでいてもよい。打撃フェースウォール（前部部分）４０６は、徐々にまたは直ちに移行する均一厚領域４７８とボトム内部境界４６２との両方に隣接する、単一の連続的な可変厚領域４８０を含んでいてもよい。可変厚領域４８０が存在すると、打撃フェースウォール４０６の平均コンプライアンスが増大する。打撃ウォールのコンプライアンスが増大すると、ゴルフショット中、クラブヘッド４００からゴルフボールへのエネルギー移動が改善され、ひいてはボールの初期速度と飛行距離が増大する。打撃フェースウォール４０６は、鋳造、マシン加工および／またはスタンピングなどの鍛造加工などによって成形してもよい。
【００３３】
可変厚領域４８０は、連続する輪郭線４８２（図４Ａを参照）間の厚さの変化により特徴付けられ、各輪郭線は打撃フェースウォール４０６の一定の厚さ領域を示す。可変厚領域４８０の厚さ寸法は、線形比率または非線形比率で変化してよい。可変厚領域４８０の厚さ寸法の範囲は約２ｍｍと約５ｍｍの間が好ましく、より好ましくは約２．２ｍｍと４ｍｍの間、最も好ましくは約２．５ｍｍと約３．８ｍｍの間である。均一厚領域４７８は、厚さに関して約０．０１ｍｍと約０．２ｍｍの間の製造許容差を有し、打撃フェースウォール４０６の後部表面の内部境界４７４内の面積の少なくとも約５％を占める。均一厚領域の厚さの寸法は約４ｍｍ未満、より好ましくは約３ｍｍ未満であってよい。
【００３４】
図４Ｂおよび図４Ｃに示すように、可変厚領域４８０は、フェース中心４１５（図４）の近似位置にある最大の厚さ寸法から、ボトム内部境界４６２と均一厚領域４７８へ、テーパー状に徐々に変化してもよい。従って、打撃フェースウォール４０６は、均一厚領域４７８の範囲内に、一般的に最小の厚さ寸法を有している。図５に示す別の実施例では、本発明の１つ以上の態様による打撃フェースウォール４０６は、可変厚領域４８４に最小の厚さ寸法ｔ１を有していてもよい。従って、均一厚領域４７８は、最小の厚さ寸法ｔ１以上の厚さ寸法ｔ２を有していてもよい。
【００３５】
あるいは、図６に示すように、本発明の１つ以上の態様によるゴルフクラブヘッド４００の打撃フェースウォールは、均一厚領域４８６と可変厚領域４８８を有していてもよい。均一厚領域４８６は、トップ内部境界４６８の少なくとも一部、ボトム内部境界トウ部分４６４のせいぜい単一点、および／または中間内部境界４５８の単一点に隣接していてもよい。均一厚領域４８６はトップ内部境界４６８全体に隣接しているのが好ましい。可変厚領域４８８は、均一厚領域４８６、ボトム内部境界４６２の大部分、および中間内部境界４５８の大部分に隣接していてもよい。別の実施例では、可変厚領域４８８はボトム内部境界４６２全体に隣接していてもよい。
【００３６】
あるいは、図７に示すように、本発明の１つ以上の態様によるゴルフクラブヘッド４００の打撃フェースウォールは、均一厚領域４９０と可変厚領域４９２を有していてもよい。均一厚領域４９０は、トップ内部境界４６８の少なくとも一部、中間内部境界４５８の一部、およびボトム内部境界トウ部分４６４のせいぜい単一点に隣接していてもよい。均一厚領域４９０は、トップ内部境界４６８全体、および中間内部境界４５８の大部分に隣接しているのが好ましい。可変厚領域４９２は、均一厚領域４９０、ボトム内部境界４６２の大部分、および中間内部境界４５８の一部に隣接していてもよい。別の実施例では、可変厚領域４９２は、ボトム内部境界４６２全体、中間内部境界４５８の大部分、およびトップ内部境界４６８の一部に隣接していてもよい。
【００３７】
あるいは、図８に示すように、本発明の１つ以上の態様によるゴルフクラブヘッド４００の打撃フェースウォールは、均一厚領域４９４と可変厚領域４９６を有していてもよい。均一厚領域４９４は、トップ内部境界４６８の少なくとも一部、中間内部境界、ボトム内部境界トウ部分４６４のせいぜい単一点、および／またはボトム内部境界ヒール部分４５０に隣接していてもよい。均一厚領域４９４は、トップ内部境界４６８全体、および中間内部境界４５８全体に隣接しているのが好ましい。可変厚領域４９６は、均一厚領域４９４、およびボトム内部境界４６２の大部分に隣接していてもよい。別の実施例では、可変厚領域４９６は、ボトム内部境界４６２全体、およびトップ内部境界４６８の一部に隣接していてもよい。
【００３８】
あるいは、図９に示すように、本発明の１つ以上の態様によるゴルフクラブヘッド４００の打撃フェースウォールは、均一厚領域４９８と可変厚領域５００を有していてもよい。均一厚領域４９８は、トップ内部境界４６８の少なくとも一部、中間内部境界、ボトム内部境界ヒール部分４５０、およびボトム内部境界トウ部分４６４のせいぜい単一点に隣接していてもよい。均一厚領域４９８は、トップ内部境界４６８全体、および中間内部境界４５８全体に隣接しているのが好ましい。可変厚領域５００は、均一厚領域４９８、ボトム内部境界４６２の大部分、およびトップ内部境界４６８の一部に隣接していてもよい。
【００３９】
あるいは、図１０に示すように、本発明の１つ以上の態様によるゴルフクラブヘッド４００の打撃フェースウォールは、均一厚領域５０２と可変厚領域５０４を有していてもよい。均一厚領域５０２は、トップ内部境界４６８の少なくとも一部、ボトム内部境界トウ部分４６４の一部、および中間内部境界４５８のせいぜい単一点に隣接していてもよい。フェース中心４１５は均一厚領域４７８（ママ）内にあるのが好ましい。従って、最小の厚さ寸法はフェース中心４１５の近似位置にあってもよい。可変厚領域５０４は、均一厚領域５０２、ボトム内部境界４６２の大部分、および中間内部境界４５８全体に隣接していてもよい。１つの実施例では、可変厚領域５０４は、内部境界４７４内において、打撃フェースウォール４０６の後部表面の面積の少なくとも約６０％を占めていてもよい。別の実施例では、可変厚領域５０４は、内部境界４７４内において、打撃フェースウォール４０６の後部表面の面積の少なくとも約５０％を占めるのが好ましく、内部境界４７４内において、打撃フェースウォール４０６の後部表面の面積の少なくとも約４０％を占めるのが更に好ましい。
【００４０】
あるいは、図１１に示すように、本発明の１つ以上の態様によるゴルフクラブヘッド４００の打撃フェースウォールは、均一厚領域５０６と可変厚領域５０８を有していてもよい。均一厚領域５０６は、トップ内部境界４６８の少なくとも一部、中間内部境界４５８、およびボトム内部境界トウ部分４６４に隣接していてもよい。均一厚領域５０６は、内部境界４７４内において、打撃フェースウォールの後部表面の面積の少なくとも約２０％を占めているのが好ましい。均一厚領域５０６は、内部境界４７４内において、打撃フェースウォールの後部表面の面積の少なくとも約３０％を占めているのが更に好ましい。フェース中心４１５は均一厚領域５０６内にあってもよい。可変厚領域５０８は、均一厚領域５０６、ボトム内部境界４６２の大部分、および中間内部境界４５８の一部に隣接していてもよい。１つの実施例では、可変厚領域５０８はトップ内部境界４６８から離れていてもよい。
【００４１】
あるいは、図１２に示すように、本発明の１つ以上の態様によるゴルフクラブヘッド４００の打撃フェースウォールは、均一厚領域５１０と可変厚領域５１２を有していてもよい。均一厚領域５１０は、トップ内部境界４６８の少なくとも一部、中間内部境界４５８、ボトム内部境界トウ部分４６４、およびボトム内部境界ヒール部分４５０に隣接していてもよい。均一厚領域５１０は、トップ内部境界４６８全体および中間内部境界４５８全体に隣接しているのが好ましい。フェース中心４１５は均一厚領域５１０内にあってもよい。可変厚領域５１２は、均一厚領域５１０およびボトム内部境界４６２の大部分に隣接していてもよい。
【００４２】
あるいは、図１３に示すように、本発明の１つ以上の態様によるゴルフクラブヘッド４００の打撃フェースウォールは、均一厚領域５１４と可変厚領域５１６を有していてもよい。均一厚領域５１４は、トップ内部境界４６８の少なくとも一部および中間内部境界４５８、並びにボトム内部境界ヒール部分４５０およびボトム内部境界トウ部分４６４の大部分に隣接していてもよい。均一厚領域５１４は、可変厚領域５１６を実質的に取り巻くＣ字形に構成されており、内部境界４７４内で打撃フェースウォールの後部表面の面積の少なくとも５０％を占めているのが好ましい。可変厚領域５１６は、均一厚領域５１４、およびボトム内部境界４６２の小部分に隣接していてもよい。より具体的には、可変厚領域５１６はボトム内部境界４６２の約４０％未満に隣接しているのが好ましく、ボトム内部境界４６２の約３０％未満に隣接しているのが更に好ましい。
【００４３】
あるいは、図１４に示すように、本発明の１つ以上の態様によるゴルフクラブヘッド４００の打撃フェースウォールは、均一厚領域５１８と可変厚領域５２０を有していてもよい。均一厚領域５１８は、ボトム内部境界４６２の少なくとも一部に隣接しているのが好ましく、ボトム内部境界４６２の大部分に隣接しているのが更に好ましい。従って、均一厚領域５１８は、ボトム内部境界トウ部分４６４およびボトム内部境界ヒール部分４５０のうち少なくとも１つの大部分と隣接していてもよい。可変厚領域５２０は、均一厚領域５１８、トップ内部境界４６８、および中間内部境界４５８、並びにボトム内部境界トウ部分４６４の一部およびボトム内部境界ヒール部分４５０に隣接していてもよい。１つの実施例では、可変厚領域５２０は、トップ内部境界４６８の全体および中間内部境界４５８の全体に隣接していてもよい。
【００４４】
あるいは、図１５に示すように、本発明の１つ以上の態様によるゴルフクラブヘッド４００の打撃フェースウォールは、均一厚領域５２２と可変厚領域５２４を有していてもよい。均一厚領域５２２は、ボトム内部境界４６２の大部分に隣接しているのが好ましく、ボトム内部境界４６２全体に隣接しているのが更に好ましい。１つの実施例では、均一厚領域５２２は、中間内部境界４５８の一部およびトップ内部境界４６８に更に隣接していてもよい。可変厚領域５２４は、均一厚領域５２２の少なくとも一部、トップ内部境界４６８、および中間内部境界４５８に隣接していてもよい。可変厚領域５２４は、トップ内部境界４６８の大部分に隣接しているのが好ましい。
【００４５】
あるいは、図１６Ａおよび図１６Ｂに示すように、本発明の１つ以上の態様によるゴルフクラブヘッド４００の打撃フェースウォールは、第１均一厚領域５２６ａ、第２均一厚領域５２６ｂ、および可変厚領域５２８を有していてもよい。第１均一厚領域５２６ａは、トップ内部境界４６８の少なくとも一部および中間内部境界４５８、並びにボトム内部境界トウ部分４６４の一部および／またはボトム内部境界ヒール部分４５０に隣接していてもよい。１つの実施例では、第１均一厚領域５２６ａは、トップ内部境界４６８全体および中間内部境界４５８全体に隣接していてもよい。従って、第２均一厚領域５２６ｂは、ボトム内部境界トウ部分４６４およびボトム内部境界ヒール部分４５０のうち少なくとも１つの大部分に隣接していてもよい。別の実施例では、第２均一厚領域５２６ｂは、ボトム内部境界４６２の小部分にだけ隣接していてもよい。領域５２６ａと５２６ｂの厚さは、同じでもよいし、異なっていてもよい。可変厚領域５２８は、第１均一厚領域５２６ａ、第２均一厚領域５２６ｂ、ボトム内部境界トウ部分４６４の一部、およびボトム内部境界ヒール部分４５０の一部に隣接していてもよい。１つの実施例では、可変厚領域５２８は、ボトム内部境界４６２の大部分に隣接していてもよく、トップ内部境界４６８から離れていてもよい。別の実施例では、可変厚領域５２８は、ボトム内部境界４６２の小部分に隣接していてもよい。
【００４６】
あるいは、図１７に示すように、本発明の１つ以上の態様によるゴルフクラブヘッド４００の打撃フェースウォールは、均一厚領域５３０、第１可変厚領域５３２ａ、および第２可変厚領域５３２ｂを有していてもよい。均一厚領域５３０は、トップ内部境界４６８の少なくとも一部、ボトム内部境界ヒール部分４５０の一部、および／またはボトム内部境界トウ部分４６４の一部に隣接していてもよい。均一厚領域５３０は、中間内部境界４５８から離れているのが好ましい。第１可変厚領域５３２ａは、中間内部境界４５８の少なくとも一部に隣接していてもよく、均一厚領域５３０の一部によって第２可変厚領域５３２ｂから分離されていてもよい。１つの実施例では、第１可変厚領域は、中間内部境界４５８全体に隣接していてもよく、中間内部境界４５８の近似位置の第１最大厚さ寸法から均一厚領域５３０に向かって、徐々にテーパー状になっていてもよい。領域５３２ａの厚さは、約１．５ｍｍと約４ｍｍの範囲であるのが好ましく、約２ｍｍと約３ｍｍの範囲であるのが更に好ましい。第２可変厚領域５３２ｂは、均一厚領域５３０およびボトム内部境界４６２の大部分に隣接していてもよい。第２可変厚領域５３２ｂは、フェース中心４１５の近似位置の第２最大厚さ寸法から、ボトム内部境界４６２および均一厚領域５３０に向かって、テーパー状になっているのが好ましい。領域５３２ｂの厚さは、約２ｍｍと約５ｍｍの範囲であるのが好ましく、約２．５ｍｍと約３．８ｍｍの範囲であるのが更に好ましい。１つの実施例では、領域５３２ｂの第２最大厚さ寸法は、領域５３２ａの第１最大厚さ寸法よりも大きくてもよい。別の実施例では、領域５３２ａの第１最大厚さ寸法は、領域５３２ｂの第２最大厚さ寸法より大きくてもよい。
【００４７】
あるいは、図１８に示すように、本発明の１つ以上の態様によるゴルフクラブヘッド４００の打撃フェースウォールは、第１均一厚領域５３４ａ、第２均一厚領域５３４ｂ、第３均一厚領域５３４ｃ、および可変厚領域５３６を有していてもよい。第１均一厚領域５３４ａは、トップ内部境界４６８の一部、ボトム内部境界ヒール部分４５０の一部、および中間内部境界４５８の少なくとも一部に隣接していてもよい。１つの実施例では、第１均一厚領域５３４ａは、中間内部境界４５８の全体に隣接していてもよい。第１均一厚領域５３４ａの厚さは、約１ｍｍと約５ｍｍの間であるのが好ましく、約２ｍｍと約４ｍｍの間であるのが更に好ましい。第２均一厚領域５３４ｂは、トップ内部境界４６８の少なくとも一部およびボトム内部境界トウ部分４６４に隣接していてもよい。第２均一厚領域５３４ｂの厚さは、約１ｍｍと約５ｍｍの間であるのが好ましく、約２ｍｍと約４ｍｍの間であるのが更に好ましい。第３均一厚領域５３４ｃは、ボトム内部境界４６２の一部に隣接していてもよい。１つの実施例では、第３均一厚領域５３４ｃは、ボトム内部境界４６２の大部分に隣接していてもよい。第３均一厚領域５３４ｃの厚さは、約１ｍｍと約５ｍｍの間であるのが好ましく、約２ｍｍと約４ｍｍの間であるのが更に好ましい。領域５３４ａ−ｃは、トップ内部境界４６８の一部、ボトム内部境界トウ部分４６４およびボトム内部境界ヒール部分４５０に隣接する可変厚領域５３６によって、互いに分離されていてもよい。可変厚領域５３６は、ボトム内部境界４６２の大部分に隣接しているのが好ましい。本発明の別の態様では、領域５３４ａ−ｃは、実質的に同じ厚さであってよい。他の実施例では、領域５３４ａ−ｃの少なくとも２つは異なる厚さであってもよい。
【００４８】
あるいは、図１９Ａおよび図１９Ｂを参照すると、本発明の１つ以上の態様によるゴルフクラブヘッド４００の打撃フェースウォールは、第１均一厚領域５３８ａ、第２均一厚領域５３８ｂ、および可変厚領域５４０を有していてもよい。第１均一厚領域５３８ａは、トップ内部境界４６８の一部に隣接しているのが好ましく、トップ内部境界４６８の大部分に隣接しているのが更に好ましい。第１均一厚領域５３８ａの厚さは、約１．５ｍｍと約３ｍｍの間であってよい。第２均一厚領域５３８ｂは、フェース中心４１５の近似位置にあってもよく、トップ内部境界４６８、中間内部境界４５８およびボトム内部境界４６２から離れていてもよい。１つの実施例では、領域５３８ｂは、可変厚領域５４０によって完全に取り囲まれている実質的に同心円の領域である。領域５３８ｂの厚さは、約２．５ｍｍと４ｍｍの間であるのが好ましい。可変厚領域５４０は、第１均一厚領域５３８ａ、第２均一厚領域５３８ｂ、トップ内部境界４６８の一部、中間内部境界４５８の少なくとも一部、およびボトム内部境界４６２の大部分に隣接していてもよい。従って、可変厚領域５４０は、第１均一厚領域５３８ａを第２均一厚領域５３８ｂから分離していてもよい。第２均一厚領域５３８ｂの厚さは、第１均一厚領域５３８ａの厚さより大きいのが好ましい。
【００４９】
あるいは、図２０を参照すると、本発明の１つ以上の態様によるゴルフクラブヘッド４００の打撃フェースウォールは、第１均一厚領域５４２ａ、第２均一厚領域５４２ｂ、および可変厚領域５４４を有していてもよい。可変厚領域５４４は、大体水平の上方部分４７７と、第１均一厚領域５４２ａを第２均一厚領域５４２ｂから分離する大体垂直の下方部分４７９とを含む、Ｔ字形の構成であってもよい。上方部分４７７は、トップ内部境界４６８の少なくとも一部および中間内部境界４５８、並びにボトム内部境界ヒール部分４５０の一部およびボトム内部境界トウ部分４６４に隣接していてもよい。下方部分４７９は、ボトム内部境界４６２の一部に隣接していてもよい。本発明の別の態様では、下方部分４７９はボトム内部境界４６２の大部分に隣接していてもよい。第１均一厚領域５４２ａは、可変厚領域５４４およびボトム内部境界ヒール部分４５０に隣接していてもよい。第１均一厚領域５４２ａの厚さは、約２ｍｍと約４ｍｍの間であるのが好ましく、約２．５ｍｍと約３．４ｍｍの間であるのが更に好ましい。第２均一厚領域５４２ｂは、可変厚領域５４４およびボトム内部境界トウ部分４６４の大部分に隣接していてもよい。第２均一厚領域５４２ｂの厚さは、約２ｍｍと約４ｍｍの間であるのが好ましく、約２．５ｍｍと約３．４ｍｍの間であるのが更に好ましい。１つの実施例では、領域５４２ａと５４２ｂは同じ厚さであってよい。別の実施例では、領域５４２ａと５４２ｂは異なる厚さであってもよい。
【００５０】
あるいは、図２１に示すように、本発明の１つ以上の態様によるゴルフクラブヘッド４００の打撃フェースウォールは、第１均一厚領域５４６ａ、第２均一厚領域５４６ｂ、第３均一厚領域５４６ｃ、および可変厚領域５４８を有していてもよい。均一厚領域５４６ａ−ｃは、可変厚領域５４８によって互いに分離されていてもよく、その場合、第１均一厚領域５４６ａはボトム内部境界ヒール部分４５０の大部分に隣接し、第２均一厚領域５４６ｂはボトム内部境界トウ部分４６４の大部分に隣接し、第３均一厚領域５４６ｃはボトム内部境界ヒール部分４５０とボトム内部境界トウ部分４６４の両方の一部に隣接する。１つの実施例では、領域５４６ａ−ｃの少なくとも２つは、内部境界４７４内で、打撃フェースウォールの後部表面の面積のうち同じ割合を占めていてもよい。別の実施例では、各領域５４６ａ−ｃは、内部境界４７４内で、打撃フェースウォールの後部表面の面積のうち異なる割合を占めていてもよい。可変厚領域５４８は、大体水平の上方部分４８１およびＹ字形の下方部分４８３を含んでいてもよい。上方部分４８１は、トップ内部境界４６８の少なくとも一部および中間内部境界４５８、並びにボトム内部境界ヒール部分４５０の一部およびボトム内部境界トウ部分４６４に隣接していてもよい。下方部分４８３は、大体水平の上方部分４８１の一部、ボトム内部境界トウ部分４６４、およびボトム内部境界ヒール部分４５０に隣接していてもよい。
【００５１】
あるいは、図２２を参照すると、本発明の１つ以上の態様によるゴルフクラブヘッド４００の打撃フェースウォールは、第１均一厚領域５５０ａ、第２均一厚領域５５０ｂ、および可変厚領域５５２を有していてもよい。可変厚領域５５２は、大体水平な上方部分４８５、および第１均一厚領域５５０ａを第２均一厚領域５５０ｂから分離する少なくとも部分的に曲線の下方部分４８７を含んでいてもよい。上方部分４８５は、トップ内部境界４６８の少なくとも一部および中間内部境界４５８、並びにボトム内部境界ヒール部分４５０の一部およびボトム内部境界トウ部分４６４に隣接していてもよい。下方部分４８７は、上方部分４８９（ママ）およびボトム内部境界ヒール部分４５０に隣接していてもよい。第１均一厚領域５５０ａは、可変厚領域５５２と、ボトム内部境界４６２の小部分とに隣接していてもよい。領域５５０ａの厚さは、約２ｍｍと約４ｍｍの間であるのが好ましく、約２．５ｍｍと約３．８ｍｍの間であるのが更に好ましい。第２均一厚領域５５０ｂは、可変厚領域５５２と、ボトム内部境界４６２の大部分とに隣接していてもよい。第２均一厚領域５５０ｂの厚さは、約２ｍｍと約４ｍｍの間であるのが好ましく、約２．５ｍｍと約３．８ｍｍの間であるのが更に好ましい。１つの実施例では、フェース中心４１５は第２均一厚領域５５０ｂ内にあってもよい。内部境界４７４内で第１均一厚領域５５０ａが占める後部表面の面積は、内部境界４７４内で第２均一厚領域５５０ｂが占める後部表面の面積よりも小さいのが好ましい。
【００５２】
あるいは、図２３を参照すると、本発明の１つ以上の態様によるゴルフクラブヘッド４００の打撃フェースウォールは、第１均一厚領域５５４ａ、第２均一厚領域５５４ｂ、および可変厚領域５５６を有していてもよい。可変厚領域５５６は、大体水平な上方部分４８９、および第１均一厚領域５５４ａを第２均一厚領域５５４ｂから分離する少なくとも部分的に曲線の下方部分４９１を含んでいてもよい。上方部分４８９は、トップ内部境界４６８の少なくとも一部および中間内部境界４５８、並びにボトム内部境界ヒール部分４５０の一部およびボトム内部境界トウ部分４６４に隣接していてもよい。下方部分４９１は、上方部分４８９およびボトム内部境界ヒール部分４５０に隣接していてもよい。第１均一厚領域５５４ａは、可変厚領域５５６と、ボトム内部境界４６２の大部分とに隣接していてもよい。領域５５０ａの厚さは、約２ｍｍと約４ｍｍの間であるのが好ましく、約２．５ｍｍと約３．８ｍｍの間であるのが更に好ましい。第２均一厚領域５５４ｂは、可変厚領域５５６と、ボトム内部境界４６２の小部分とに隣接していてもよい。第２均一厚領域５５０ｂの厚さは、約２ｍｍと約４ｍｍの間であるのが好ましく、約２．５ｍｍと約３．８ｍｍの間であるのが更に好ましい。１つの実施例では、フェース中心４１５は第２均一厚領域５５４ｂ内にあってもよい。内部境界４７４内で第１均一厚領域５５４ａが占める後部表面の面積は、内部境界４７４内で第２均一厚領域５５４ｂが占める後部表面の面積よりも大きいのが好ましい。
【００５３】
あるいは、図２４Ａおよび図２４Ｂに示すように、本発明の１つ以上の態様によるゴルフクラブヘッド４００の打撃フェースウォールは、第１均一厚領域５５８ａ、第２均一厚領域５５８ｂ、第３均一厚領域５５８ｃ、および可変厚領域５６０を有していてもよい。第１均一厚領域５５８ａは、トップ内部境界４６８の一部に隣接しているのが好ましく、トップ内部境界４６８の大部分に隣接しているのが更に好ましい。第１均一厚領域５５８ａの厚さは、例えば、約２ｍｍと約５ｍｍの間であってもよい。１つの実施例では、領域５５８ａの厚さは、約２．５ｍｍと約４ｍｍの間であってもよい。第２均一厚領域５５８ｂは、第１均一厚領域５５８ａ、トップ内部境界５６８（ママ）の一部、中間内部境界４５８の少なくとも一部、およびボトム内部境界ヒール部分４５０に隣接していてもよい。領域５５８ｂは領域５５８ａよりも大きい厚さであるのが好ましい。従って、第１段差部分が第１均一厚領域５５８ａを第２均一厚領域５５８ｂから分離していてもよい。第３均一厚領域５５８ｃは、第１均一厚領域５５８ａ、トップ内部境界５５８ａ（ママ）の一部、およびボトム内部境界トウ部分４６４に隣接していてもよい。境界５５８ｃも境界５５８ａより大きい厚さであってよい。従って、第２段差部分が第１均一厚領域５５８ａを第３均一厚領域５５８ｃから分離していてもよい。本発明の別の態様では、領域５５８ｂおよび５５８ｃは、領域５５８ａより小さい厚さであってもよい。更に、領域５５８ａ−ｃはそれぞれ厚さが異なっていてもよい。可変厚領域５６０は、第１均一厚領域５５８ａ、第２均一厚領域５５８ｂ、第３均一厚領域５５８ｃ、およびボトム内部境界４６２の大部分に隣接していてもよい。
【００５４】
あるいは、図２５を参照すると、本発明の１つ以上の態様によるゴルフクラブヘッド４００の打撃フェースウォールは、均一厚領域５６２、第１可変厚領域５６４ａ、および第２可変厚領域５６４ｂを有していてもよい。均一厚領域５６２は、下方部分４９３と、第１可変厚領域５６４ａを第２可変厚領域５６４ｂから分離する大体垂直の上方部分４９５とからなるＴ字形を有していてもよい。下方部分４９３は、ボトム内部境界４６２の大部分に隣接していてもよい。上方部分４９５は、下方部分４９３およびトップ内部境界４６８に隣接していてもよい。フェース中心４１５が下方部分４９３内にあるのが好ましい。第１可変厚領域５６４ａは、トップ内部境界４６８の一部、中間内部境界４５８の少なくとも一部、およびボトム内部境界ヒール部分４５０に隣接していてもよい。第２可変厚領域５６４ｂは、トップ内部境界４６８の一部およびボトム内部境界トウ部分４６４に隣接していてもよい。本発明の１つの態様では、均一厚領域５６２の厚さが最大厚さ寸法を構成してもよい。
【００５５】
以上、本発明を特定の典型的な態様を参照して説明した。しかし、添付の特許請求の範囲に記載される本発明のより広範な趣旨および範囲を逸脱することなく、種々の修正および変更が可能であることは明白である。従って、本明細書および図面は、限定的でなく、例示的なものと見なすべきである。
【図１】
2011098200.tif 000003
【図１Ａ１】
2011098200.tif 000004
【図１Ａ２】
2011098200.tif 000005
【図１Ｂ】
2011098200.tif 000006
【図１Ｃ】
2011098200.tif 000007
【図１Ｄ】
2011098200.tif 000008
【図１Ｅ】
2011098200.tif 000009
【図１Ｆ】
2011098200.tif 000010
【図１Ｇ】
2011098200.tif 000011
【図１Ｈ】
2011098200.tif 000012
【図１Ｉ】
2011098200.tif 000013
【図１Ｊ】
2011098200.tif 000014
【図１Ｋ】
2011098200.tif 000015
【図２】
2011098200.tif 000016
【図３】
2011098200.tif 000017
【図４】
2011098200.tif 000018
【図４Ａ】
2011098200.tif 000019
【図４Ｂ】
2011098200.tif 000020
【図４Ｃ】
2011098200.tif 000021
【図５】
2011098200.tif 000022
【図６】
2011098200.tif 000023
【図７】
2011098200.tif 000024
【図８】
2011098200.tif 000025
【図９】
2011098200.tif 000026
【図１０】
2011098200.tif 000027
【図１１】
2011098200.tif 000028
【図１２】
2011098200.tif 000029
【図１３】
2011098200.tif 000030
【図１４】
2011098200.tif 000031
【図１５】
2011098200.tif 000032
【図１６Ａ】
2011098200.tif 000033
【図１６Ｂ】
2011098200.tif 000034
【図１７】
2011098200.tif 000035
【図１８】
2011098200.tif 000036
【図１９Ａ】
2011098200.tif 000037
【図１９Ｂ】
2011098200.tif 000038
【図２０】
2011098200.tif 000039
【図２１】
2011098200.tif 000040
【図２２】
2011098200.tif 000041
【図２３】
2011098200.tif 000042
【図２４Ａ】
2011098200.tif 000043
【図２４Ｂ】
2011098200.tif 000044
【図２５】
2011098200.tif 000045